(57)【特許請求の範囲】
【請求項１】
測定部を中央に備えたセル本体を有し、
前記セル本体に検体液を連続的に流通させるための検体液通路が形成され、
前記セル本体の中央部分において、前記測定部を挟んで向かい合う面の壁に、光軸上に相対して透光部材が配置され、
前記検体液通路は、内径の大きさにより下段通路と上段通路の上下２段に分かれており、前記下段通路の内径が前記上段通路の内径より小さく、
前記下段通路の底部は、前記測定部の上部と孔より連通し、
前記検体液通路に導入された検体液は、前記下段通路で圧縮されるため、前記検体液内に混在する気泡は前記上段通路に移動して排出され、
前記気泡が分離した前記下段通路の検体液は、前記孔から前記測定部に導入され、
前記気泡が分離された検体液を前記測定部で計測することを特徴とする光学分析用セル。
【請求項２】
光源と、
前記光源からの光を受光する受光部を有し、
前記光源と前記受光部との間に、請求項１に記載の光学分析用セルを配置し、
前記光学分析用セルの光軸上に、前記光源と、前記受光部が位置し、
前記受光部において受光し、前記検体液通路で検体液中の気泡を分離し、前記測定部で気泡が分離された検体液を計測することを特徴とする光学分析計。
【発明の詳細な説明】
【０００１】
【発明の属する技術分野】
この発明は、光学分析セル及び光学分析計に関する。
【０００２】
【従来の技術】
光学分析計として、例えば多量の気泡を含有し、毎分１５〜２０リッタの大流量で配管内を通過する検体液の光学的測定に用いられる比色計、吸光光度計、濁度計等がある。
【０００３】
このような光学分析計において、検体液中に気泡が混在することは測定精度を低下させるので大きな問題である。従って、検体液中に気泡が存在する場合には、光学分析計の前段に脱泡槽等の気泡を除去する装置を設置して事前に除去しておくのが一般的である。
【０００４】
【発明が解決しようとする課題】
このように、光学分析計の前段に脱泡槽等の気泡を除去する装置を設置して事前に除去するものでは、光学分析に手数を要し、測定効率が悪いと共に、コストも嵩む等の問題がある。
【０００５】
この発明は、かかる実情に鑑みてなされたもので、気泡を含む検体液の計測を気泡の影響を受けることなく、簡単かつ効率的に、低コストで確実に、計測することが可能な光学分析セル及び光学分析計を提供することを目的としている。
【０００６】
【課題を解決するための手段】
前記課題を解決し、かつ目的を達成するために、この発明は、以下のように構成した。
【０００７】
請求項１に記載の発明は、
『測定部を中央に備えたセル本体を有し、
前記セル本体に検体液を連続的に流通させるための検体液通路が形成され、
前記セル本体の中央部分において、前記測定部を挟んで向かい合う面の壁に、光軸上に相対して透光部材が配置され、
前記検体液通路は、内径の大きさにより下段通路と上段通路の上下２段に分かれており、前記下段通路の内径が前記上段通路の内径より小さく、
前記下段通路の底部は、前記測定部の上部と孔より連通し、
前記検体液通路に導入された検体液は、前記下段通路で圧縮されるため、前記検体液内に混在する気泡は前記上段通路に移動して排出され、
前記気泡が分離した前記下段通路の検体液は、前記孔から前記測定部に導入され、
前記気泡が分離された検体液を前記測定部で計測することを特徴とする光学分析用セル。』である。
【０００８】
請求項１に記載の発明によれば、検体液通路で検体液中の気泡を分離し、測定部で気泡が分離された検体液を計測することで、気泡を含む検体液の計測を気泡の影響を受けることなく、簡単かつ効率的に、低コストで確実に、計測することができる。また、検体液通路の少なくとも測定部の上部と接する部分を細く形成する簡単な構造で、検体液中の気泡を分離し、測定部で気泡が分離された検体液を計測することができる。
【００１１】
請求項２に記載の発明は、
『光源と、
前記光源からの光を受光する受光部を有し、
前記光源と前記受光部との間に、請求項１に記載の光学分析用セルを配置し、
前記光学分析用セルの光軸上に、前記光源と、前記受光部が位置し、
前記受光部において受光し、前記検体液通路で検体液中の気泡を分離し、前記測定部で気泡が分離された検体液を計測することを特徴とする光学分析計。』である。
【００１２】
請求項２に記載の発明によれば、検体液通路で検体液中の気泡を分離し、測定部で気泡が分離された検体液を計測することで、気泡を含む検体液の計測を気泡の影響を受けることなく、簡単かつ効率的に、低コストで確実に、計測することができる。
【００１３】
【発明の実施の形態】
以下、この発明の光学分析セル及び光学分析計の実施の形態を、図面に基づいて詳細に説明するが、この発明は、この実施の形態に限定されない。
【００１４】
図１は光学分析セルを備える光学分析計の断面図、図２は図１のII-II線に沿う断面図である。
【００１５】
この光学分析セル１を備える光学分析計２は、光学分析セル１の側面より検体液が検体液通路３に流入し、反対面に抜けていく水平流入方式である。
【００１６】
光学分析セル１は、測定部４を中央に備えたセル本体５を有し、このセル本体５に検体液を連続的に流通させるための検体液通路３が形成してある。このセル本体５の中央部分において、測定部４を挟んで向かい合う面の壁に、光軸上に相対して凸形の石英ガラス等の透光部材６がＯリング７を介して機密的に嵌め込んである。
【００１７】
測定部４を挟んで、一方の外側に水銀ランプ等の光源を備えた発光部８を設置し、反対側の外側には光学フィルタ９、受光部１０を設置してある。この発光部８からの単色光が測定部４を通過した光は受光部１０で受光される。１１は測定部４の両側に嵌め込んだ石英ガラスの押え板である。
【００１８】
セル本体５に形成した検体液通路３は、下段通路３ａと上段通路３ｂの２段にわかれており、下段通路３ａの底部３ａ１と測定部４の上部４ａは楕円形の孔４ａ１でつながっている。
【００１９】
即ち、検体液通路３は、内径の大きさにより下段通路３ａと上段通路３ｂの上下２段に分かれており、下段通路３ａで内径が小さく、上段通路３ｂで内径が大きくなっている。さらに、下段通路３ａの底部３ａ１は測定部４の上部４ａと楕円形の孔４ａ１で接しており、検体液はこの楕円の孔４ａ１より測定部４に流入する。
【００２０】
セル本体５内に導入された検体液は、内径の小さくなった下段通路３ａで圧縮されるため、検体液内に混在する気泡は上段通路３ｂに移動し、排出される。このように、検体液通路３に検体液中の気泡を分離する手段とを有し、気泡を分離する手段は、測定部４の上部が測定部４の光軸方向と直交して設置された検体液通路３の下段通路３ａに接しており、この検体液通路３の少なくとも測定部４の上部と接する部分を細く形成した下段通路３ａにより構成される。
【００２１】
気泡が分離した下段通路３ａの検体液は、下段通路３ａの底部３ａ１で接している測定部４に楕円の孔４ａ１を介して導入され、分析される。
【００２２】
測定部４に導入される検体液は、上部で接している下段通路３ａを流れる検体液の流速が早いため、常に渦を巻いて流入している。従って、測定部４での検体液の置き換わりは５秒程度と、測定に何ら支障を与えない速さである。
【００２３】
なお、この実施の形態の光学分析計は、毎分１５リッタ以下の流量の検体液に使用しても何ら問題はない。
【００２４】
このように、気泡が混在し、毎分１５〜２０リッタの流速で光学分析セル１内を通過する検体液を、脱泡槽を前置せず直接光学分析セル１に導入しても気泡の影響を受けることなく測定できる。
【００２５】
この実施の形態では、光学分析セル１内に測定部４を配置し、測定部４の上部はこの測定部４の光軸方向と直交して設置された検体液通路３に接しており、検体液通路３は検体液中の気泡を分離するため、下段通路３ａが細く、上段通路３ｂが太い２段構造としているが、検体液通路３の少なくとも測定部４の上部４ａと接する部分を細く形成して検体液内に混在する気泡を上段通路３ｂに移動できる構造であればこれに限定されない。
【００２６】
【発明の効果】
前記したように、請求項１に記載の発明では、検体液通路で検体液中の気泡を分離し、測定部で気泡が分離された検体液を計測することで、気泡を含む検体液の計測を気泡の影響を受けることなく、簡単かつ効率的に、低コストで確実に、計測することができ、気泡の混在した大流量の検体液を通過させることができ、流通の抵抗も少ないため圧力損失も少なく、さらに気泡の影響を受けにくいため、直接製造ラインに設置が可能である。また、検体液通路の少なくとも測定部の上部と接する部分を細く形成する簡単な構造で、検体液中の気泡を分離し、測定部で気泡が分離された検体液を計測することができる。
【００２８】
請求項２に記載の発明では、検体液通路で検体液中の気泡を分離し、測定部で気泡が分離された検体液を計測することで、気泡を含む検体液の計測を気泡の影響を受けることなく、簡単かつ効率的に、低コストで確実に、計測することができる。
【図面の簡単な説明】
【図１】光学分析セルを備える光学分析計の断面図である。
【図２】図１のII-II線に沿う断面図である。
【符号の説明】
１  光学分析用セル
２  光学分析計
３  検体液通路
３ａ  下段通路
３ｂ  上段通路
４  測定部
８  発光部
１０  受光部
【図１】
0004453887.tif 000002
【図２】
0004453887.tif 000003